(57)【特許請求の範囲】
【請求項１】
通風路内の空気中の粉塵を放電により帯電させ、帯電した粉塵を集塵する放電集塵ユニットと、
紫外線ランプを、その紫外線の本体ケースへの照射を防ぐ遮蔽板で形成される通風路内に配置してなる紫外線ランプユニットと、
前記各ユニットに通風するファンと、
前記遮蔽板で形成される前記通風路内の紫外線ランプを通る高圧力損の第1の通風路と、
前記紫外線ランプを通らない低圧力損の第２の通風路と、
前記第１の通風路と第２の通風路とを切り替える通風路切替手段を備えて、
前記通風路切替手段により通風路を第１の通風路に切り換え、前記放電集塵ユニットと紫外線ランプユニットとファンを駆動して行うファン運転と、
前記通風路切替手段により第1の通風路を閉鎖すると共に第２の通風路に切り換え、前記放電集塵ユニットを駆動して、その放電によって生じるイオン風を利用して行うイオン風運転とを切り換え可能としたことを特徴とする空気清浄機。
【請求項２】
前記紫外線ランプは、通風路に対して横方向に移動可能な一対の遮蔽板により覆われ、前記一対の遮蔽板を互いに接する方向に移動することにより、前記第１の通風路が閉鎖されて、その両側に前記第２の通風路が形成されることを特徴とする請求項１記載の空気清浄機。
【請求項３】
前記通風路切換手段と前記ファン及び紫外線ランプユニットを連動させ、前記ファン運転時には、前記放電集塵ユニットを駆動するとともに、前記通風路切換手段で第１の通風路を開放して前記ファン及び紫外線ランプユニットを動作させ、前記イオン風運転時には、前記放電集塵ユニットを駆動する一方、前記通風路切換手段で第２の通風路を開放して前記ファン及び紫外線ランプユニットは動作させずに前記放電集塵ユニットによるイオン風を利用して集塵することを特徴とする請求項１又は請求項２記載の空気清浄機。
【請求項４】
前記第２の通風路近傍に、前記放電集塵ユニットの放電によって生じるイオン風を加速させる放電ユニットを設け、当該放電ユニットはイオン風運転時のみ駆動することを特徴とする請求項１ないし請求項３のいずれかに記載の空気清浄機。
【発明の詳細な説明】
【０００１】
【発明の属する技術分野】
本発明は、放電により粉塵を帯電させて集塵する機能と、紫外線による殺菌機能とを有する空気清浄機に関するものである。
【０００２】
【従来の技術】
放電（コロナ放電）により粉塵を帯電させて集塵する方法は、通常のフィルタでは集塵できないような微細な粉塵まで集塵することができる利点がある。また、放電による電子流に伴って生じるイオン風を利用して、通風ファンを用いないで運転することもできるため、特に夜間の低騒音化や省電力化にとって有効である。
【０００３】
一方、紫外線による殺菌は古くから利用されているが、紫外線が樹脂製の本体ケースに照射されると、その部分に紫外線劣化が生じる。そのため、紫外線が本体ケースに直接照射されないように、紫外線ランプを金属製の遮蔽板で覆うようにして通風路を形成している。
【０００４】
従来より、上述したような放電集塵ユニット、紫外線ランプユニット及びファンを備え、ファンにより室内の空気を取り込み、取り込んだ空気中の粉塵を放電集塵ユニットにより帯電させて集塵し、さらに紫外線ランプユニットにて殺菌後、排出する空気清浄機が知られている。
【０００５】
また、集塵のみを行う空気清浄機としては、放電集塵ユニットとファンを備え、空気が汚れ易い日中はファンを駆動して急速集塵するファン運転を行い、空気が余り汚れない夜間はファンを停止して、上述した放電によるイオン風を利用した静音で省電力なイオン風運転に切り換えられるようにしたものも知られている。
【０００６】
【発明が解決しようとする課題】
しかしながら、上記ファン運転とイオン風運転とを切り換え可能な空気清浄機においては、紫外線ランプユニットを設けたものが提案されていない。これは、上述したように紫外線ランプユニットが、本体ケースを紫外線から保護するための遮蔽板を有し、この遮蔽板が通風路の圧力損失（通風抵抗）を高くして、イオン風運転時の空気の流れを阻害するためである。すなわち、イオン風による通風はファンによる通風に比べて非常に弱いものであるため、上記のように遮蔽板による圧力損失（通風抵抗）の高い通風路では十分な通風量が確保できない。
【０００７】
そこで、本発明はこのような問題点を解決するためになされたものであり、放電集塵ユニットとともに紫外線ランプユニットを有して、ファン駆動により放電集塵と紫外線殺菌を行なうファン運転と、ファンを駆動せずにイオン風による静音省電力な放電集塵を行うイオン風運転とを切り換えて使用可能な空気清浄機を提供することを目的とするものである。
【０００８】
また、放電によるイオン風のみでも十分な通風量を確保できる空気清浄機を提供することを目的とするものである。
【０００９】
【課題を解決するための手段】
上記目的を達成するために、本願発明は、通風路内の空気中の粉塵を放電により帯電させ、帯電した粉塵を集塵する放電集塵ユニットと、紫外線ランプを、その紫外線の本体ケースへの照射を防ぐ遮蔽板で形成される通風路内に配置してなる紫外線ランプユニットと、前記各ユニットに通風するファンと、前記遮蔽板で形成される前記通風路内の紫外線ランプを通る高圧力損の第1の通風路と、紫外線ランプを通らない低圧力損の第２の通風路と、前記第１の通風路と第２の通風路とを切り替える通風路切替手段を備えて、前記通風路切替手段により通風路を第１の通風路に切り換え、前記放電集塵ユニットと紫外線ランプユニットとファンを駆動して行うファン運転と、前記通風路切替手段により第1の通風路を閉鎖すると共に第２の通風路に切り換え、前記放電集塵ユニットを駆動して、その放電によって生じるイオン風を利用して行うイオン風運転とを切り換え可能としたことを特徴とするものである。
【００１０】
また、前記紫外線ランプは、通風路に対して横方向に移動可能な一対の遮蔽板により覆われ、前記一対の遮蔽板を互いに接する方向に移動することにより、前記第１の通風路が閉鎖されて、その両側に第２の通風路が形成されることを特徴とするものである。
【００１１】
また、前記通風路切換手段と前記ファン及び紫外線ランプユニットを連動させ、前記ファン運転時には、前記放電集塵ユニットを駆動するとともに、前記通風路切換手段で第１の通風路を開放して前記ファン及び紫外線ランプユニットを動作させ、前記イオン風運転時には、前記放電集塵ユニットを駆動する一方、前記通風路切換手段で第２の通風路を開放して前記ファン及び紫外線ランプユニットは動作させずに前記放電集塵ユニットによるイオン風を利用して集塵することを特徴とするものである。
【００１２】
さらに、前記第２の通風路近傍に、前記放電集塵ユニットの放電によって生じるイオン風を加速させる放電ユニットを設け、当該放電ユニットはイオン風運転時のみ駆動することを特徴とするものである。
【００１３】
【発明の実施の形態】
以下、本願発明の実施形態を図面を参照して詳細に説明する。
【００１４】
図１〜図３は、本実施形態による空気清浄機の全体構成図であり、図１は本体ケースの前ケースと内ケースを取り外した正面図、図２はファン運転時の側断面図、図３はイオン風運転時の側断面図である。
【００１５】
この空気清浄機は、矩形状の本体ケース１に覆われており、本体ケース１は前ケース１ａと後ケース１ｂ及び後述するファン及び紫外線ランプユニット等を覆う内ケース１ｃとからなっている。
【００１６】
後ケース１ｂには、縦方向に左右一対のリブ２，２が形成されており、このリブ２，２間に、下側から順に、プレフィルタ３、放電ユニット４、集塵ユニット５、紫外線ランプユニット６、ファン７等が配置されている。
【００１７】
上記プレフィルタ３は、本体底部側に形成された吸引口８に取り付けられ、吸い込まれる室内空気に含まれる粉塵のうち比較的大きなものを除去する。
【００１８】
放電ユニット４は、放電電極となる放電線４１と、その対向電極４２等からなる。放電線４１は、その両端をスプリング４３を介してリブ２，２に取り付けられており、このスプリング４３により、放電線４１の線膨張等による伸び縮みを吸収して常に真っ直ぐに張ることができるとともに、放電により汚れた放電線４１を洗浄するために簡単に取り外しできるようになっている。この放電線４１には、リブ２と後ケース１ｂ側壁との間に設置された高圧ユニット４４より−６．５ｋＶの負電圧が印加される。
【００１９】
また、対向電極４２は、上記放電線４１のやや上側の前後に垂下して配置された一対の接地電極からなり、放電線４１から図２、図３に点線矢印で示すようなコロナ放電が生じることにより、対向電極４２，４２間にある空気中の粉塵が帯電するとともに、上方へのイオン風が生じる。
【００２０】
集塵ユニット５は、前後ケース１ａ，１ｂ間のほぼ中央に立設された平板状の集塵電極５１に集塵紙５２が交換可能に巻かれて構成されている。集塵電極５１は接地電極であり、その左右両側には支持脚５３，５３が設けられ、この支持脚５３，５３がリブ２，２間に挿入されている。集塵紙５２は集塵電極５１の前後面を全て覆うように巻かれて、その両端が前面の中央部にて紙押さえ５４により押さえられてセットされる。紙押さえ５４は、弾性を有する棒状体の両端を図４に示すように折曲形成して、集塵電極５１の両支持脚５３間に回動可能に横架したもので、支持脚５３には上記紙押さえ５４の押さえ片５４ａを集塵電極５１面に弾性的に圧接した状態で固定するための凸状体５５が設けられている。
【００２１】
前記放電ユニット４により帯電された粉塵は、この集塵ユニット５の通風路を通る間に接地電極である集塵電極５１に引き寄せられ、その表面に巻かれた集塵紙５２に捕集される。粉塵を多量に捕集して真っ黒になった集塵紙５２は前記紙押さえ５４を引き下げることにより取り外すことができ、新しい集塵紙５２と交換される。
【００２２】
一方、紫外線ランプユニット６は、両端がリブ２，２に固定される棒状の紫外線ランプ６１と、この紫外線ランプ６１から発する紫外線が本体ケース１に照射されるのを防ぐようにして通風路を形成する金属製の一対の遮蔽板６２，６２等から構成されている。
【００２３】
上記一対の遮蔽板６２，６２は、図５に示すように、ほぼ同一形状で、それぞれ横長の箱体の隣接２面を開放して、幅広側端部６２ａを内側に折り曲げた形状に形成されている。また、その両端の側板６２ｂには、紫外線ランプ６１の端部を通すＬ字状の切欠き溝６２ｃが形成されており、そのＬ字形状の長辺側（図５の縦辺側）の延長方向端部にはガイド突起６２ｄが設けられている。これらの遮蔽板６２，６２は、紫外線ランプ６１の両端部を上記両側板６２ｂに形成された切欠き溝６２ｃに通して、図６に示すように合わせられる。このようにして、紫外線ランプ６１を覆った遮蔽板６２は、その上側に図示したユニットケース６３内に収納される。
【００２４】
上記ユニットケース６３の両側板６３ａには、中央部に紫外線ランプ６１の端部を通す長孔６３ｂが形成されるとともに、その両側には前記遮蔽板６２の側板６２ｂに設けられたガイド突起６２ｄが嵌合される八の字状のガイド溝６３ｃ，６３ｃが形成されている。また、ユニットケース６３の一方の側板６３ａ（図の右側）の角部には、後述するスイッチノブを取り付けるための突片６３ｄが形成されている。
【００２５】
上記ユニットケース６３に紫外線ランプ６１及び遮蔽板６２を収納した状態を図７に示す。なお、図７の（ａ）は後述するファン運転時の状態を示し、（ｂ）はイオン風運転時の状態を示している。このようにしてユニットケース６１に収納された紫外線ランプ６１及び遮蔽板６２は、図７の前面側を下向きにしてリブ２，２間にセットされ、ユニットケース６３の側板６３ａに形成された長孔６３ｂから突出した紫外線ランプ６１の両端部がリブ２，２に固定される。
【００２６】
また、上記ユニットケース６３の突片６３ｄは前ケース１ａに縦長に開けられた孔（図示せず）から露出し、露出した突片６３ｄにスイッチノブ９が取り付けられる。従って、このスイッチノブ９を上下に動かすことにより、ユニットケース６３が通風路内を上下に移動する。このユニットケース６３の上下移動に伴って、ユニットケース６３のガイド溝６３ｃに嵌合された各遮蔽板６２，６２のガイド突起６２ｄが互いに接近したり離反したりするので、各遮蔽板６２，６２は通風路に対して横方向（水平方向）前後に移動する。
【００２７】
すなわち、スイッチノブ９が最上位にある時は図２（図８はその要部拡大図）及び図７（ａ）に示すように、各遮蔽板６２，６２は最も離れた状態にあって、下側に吸込口６４、上側に排出口６５を有して紫外線ランプ６１を通る通風路（第１の通風路）６６が形成される。
【００２８】
一方、スイッチノブ９が最下位にある時は図３（図９はその要部拡大図）及び図７（ｂ）に示すように、各遮蔽板６２，６２は中央側に移動して接触した状態となって、上述した紫外線ランプ６１を通る通風路（第１の通風路）６６は閉鎖され、これに替わって、遮蔽板６２，６２の前後両側にストレートな低圧力損の通風路（第２の通風路）６７，６７が形成される。
【００２９】
また、上記スイッチノブ９は本装置の運転スイッチとなり、当該スイッチノブ９が最上位と最下位にセットされた時にそれぞれＯＮとなる接点（図示せず）が設けられている。この接点出力はリブ２と後ケース１ｂ側壁間に設置された制御ボックス１０に入力され、スイッチノブ９が最上位（ファン運転位置）にセットされた時（第１の通風路６６が形成された時）は、前記高圧ユニット４４と紫外線ランプ６１と後述するファンモータに通電される。一方、スイッチノブ９が最下位（イオン風運転位置）にセットされた時（第２の通風路６７，６７が形成された時）は、前記高圧ユニット４４のみに通電される。
【００３０】
上記紫外線ランプユニット６の上部側（下流側）には、貫流式のファン７が設けられており、当該ファン７はリブ２と後ケース１ｂ側壁間に設置されたファンモータ７１により回転駆動される。このファン７の回転により、室内の空気が装置底部側に形成された吸引口８から吸込まれ、吸込まれた空気は前記放電ユニット４、集塵ユニット５、紫外線ランプユニット６を経て、貫流ファン７の流入部からファン７内に入り、その吐出部から出た空気は装置最上部に形成された排気口１１から室内に排出される。
【００３１】
次に、このように構成された本実施形態の動作について説明する。
【００３２】
まず、第１の運転状態であるファン運転について説明する。空気が汚れ易い日中等において、スイッチノブ９を最上位に設定することによりファン運転を選択すると、制御ボックス１０を介して、高圧ユニット４４、紫外線ランプ６１及びファンモータ７１に通電される。さらに、紫外線ランプユニット６は、突起６３ｄにスイッチノブ９が取り付けられたユニットケース６３が上方に移動するので、図７（ａ）に示す形状となる。この時の本体側断面図を図２，図８に示す。
【００３３】
この状態で、ファン７により吸引された空気は、装置底部側の吸引口８より本体内部に取り込まれ、放電線４１と対向電極４２，４２との間で空気中の粉塵がマイナスに帯電する。帯電した粉塵は、集塵ユニット５の通風路を通過中に集塵電極５１に引き寄せられて、その表面に巻かれた集塵紙５２に捕集される。粉塵が取り除かれた空気は、全て紫外線ランプユニット６の遮蔽板６２，６２で形成された通風路（第１の通風路）６６の吸込口６４より紫外線ランプ６１へと誘導され、殺菌される。殺菌された空気は、紫外線ランプユニット６の排出口６５より出て、ファン７を介して、上部の排気口１１より室内に排出される。
【００３４】
次に、第２の運転状態であるイオン風運転による集塵について説明する。空気が余り汚れない夜間等において、スイッチノブ９を最下位に設定することによりイオン風運転を選択すると、制御ボックス１０を介して高圧ユニット４４の電源のみがＯＮとなり、放電線４１から対向電極４２，４２へと向かって起きるコロナ放電によりイオン風が発生する。さらに、紫外線ランプユニット６はユニットケース６３が下方に移動するので、図７（ｂ）に示す形状となる。この時の本体側断面図を図３，図９に示す。
【００３５】
紫外線ランプユニット６の遮蔽板６２，６２が図３、図９に示すように中央に移動したことにより、その前後両側に形成される通風路（第２の通風路）６７，６７はストレートでイオン風が空気を流動するのに十分な低圧力損の通風路が確保される。これより、室内空気は本体内部へスムーズに取り込まれ、前述と同様にして粉塵は集塵紙５２へ捕集される。
【００３６】
以上のように、本実施形態によれば、ファン７を駆動した運転の場合は、取り込んだ空気が放電ユニット４と集塵ユニット５により急速集塵されるとともに、集塵後の空気が全て紫外線ランプ６１の近傍を通過し、効率よく殺菌される。また、イオン風による集塵を行う場合は、イオン風を発生させるに十分な低圧力損の通風路（第２の通風路）６７，６７が形成されるので、放電によるイオン風のみでも十分な通風量を確保できる。
【００３７】
また、スイッチノブ９によりファン運転とイオン風運転を選択するだけで、通風路の切り換えを含むファン運転とイオン風運転の切り換えが行われ、夜間で空気の汚れが少ない時に行われるイオン風運転時には、ファン７のみならず紫外線ランプ６１も停止されるので、静音化とともに省電力化が簡単な操作で効率よく実現される。
【００３８】
図１０〜図１２は、本願発明の他の実施形態による空気清浄機の全体構成図であり、図１０は本体ケース１の前ケース１ａと内ケース１ｃを取り外した正面図、図１１はファン運転時の側断面図、図１２はイオン風運転時の側断面図である。また、図１３は上記図１１の要部拡大図、図１４は上記図１２の要部拡大図である。各図において、前記実施形態と同一符号は同一又は相当部分を示している。
【００３９】
本実施形態では、後ケース１ｂのリブ２，２間に、下側から順に、プレフィルタ３、第１の放電ユニット４、集塵ユニット５、第２の放電ユニット４ａ、紫外線ランプユニット６、ファン７等が配置されている。
【００４０】
上記において、プレフィルタ３、第１の放電ユニット４、集塵ユニット５、紫外線ランプユニット６及びファン７は前記実施形態と同様なものであり、同様な作用を有する。
【００４１】
本実施形態では、集塵ユニット５と紫外線ランプユニット６の間に第２の放電ユニット４ａを設けている。この第２の放電ユニット４ａは第２の放電線４１ａと第２の対向電極４２ａ，４２ｂからなっている。
【００４２】
上記第２の放電線４１ａは前記第１の放電ユニット４の放電線４１同様、スプリング４３ａを介してリブ２に取り付けられている。また、第２の対向電極４２ａ，４２ｂは接地電極であり、前述したイオン風運転時に形成される第２の通風路６７，６７の吸込口に対応して、一方の対向電極４２ａは後ケース１ｂの内壁面に配設され、他方の対向電極４２ｂは紫外線ランプユニット６のユニットケース６３の側壁内面に配設されている。この配設は、各内壁面に対向電極４２ａ，４２ｂの厚さに相当する溝を形成し、その溝に対向電極４２ａ，４２ｂを嵌め込むようにして、それぞれの内壁面が平坦になるようにしてあり、これにより第２の通風路６７，６７の圧力損失（通風抵抗）が増加しないようにしている。
【００４３】
また、第１の放電線４１と第２の放電線４１ａには、前述した高圧ユニット４４から出力される−６．５ｋＶの負電圧が印加されるが、ここでは直接印加されるのではなく、制御ボックス１０を介して印加されるようになっている。すなわち、イオン風運転時には、第１の放電線４１と第２の放電線４１ａのいずれにも−６．５ｋＶの負電圧が印加されるが、ファン運転時には第１の放電線４１にのみ印加され、第２の放電線４１ａには印加しないようにしている。
【００４４】
さて、ファン運転時の動作は前記実施形態と同様であるが（図１１、図１３参照）、前述したように、高圧ユニット４４から出力される−６．５ｋＶの負電圧は制御ボックス１０を介して第１の放電線４１にのみ印加され、第２の放電線４１ａには印加しないようにして、ファン運転時の消費電力が増加しないようにしている。
【００４５】
一方、イオン風運転時には、前記実施形態と同様に操作することにより、図１２、図１４に示すように、紫外線ランプユニット６の遮蔽板６２，６２が中央に移動して第２の通風路６７，６７が形成される。また、高圧ユニット４４から出力される−６．５ｋＶの負電圧は制御ボックス１０を介して第１の放電線４１と第２の放電線４１ａに印加される。前述したように、第１の放電ユニット４で起こるコロナ放電によりイオン風が発生すると同時に、第２の放電ユニット４ａにおいても図１４に点線矢印で示すようにコロナ放電によるイオン風が発生する。このイオン風は加速風として作用し、第１の放電ユニット４により誘起される空気流動を増加させる。これらのイオン風により、室内空気は前記実施形態よりも多量に本体内部へ取り込まれ、空気中の粉塵がより速やかに集塵される。
【００４６】
以上のように、本実施形態によれば、イオン風による集塵を行う場合は、イオン風を発生する第１の放電ユニット４に加えて、集塵ユニット５と紫外線ランプユニット６の間に設けた第２の放電ユニット４ａによりイオン風を誘起することでイオン風を加速し、イオン運転時の通風量の増加が図られている。また、ファン運転時には、前記実施形態同様、ファン７により十分な通風量を確保できるので、集塵及び殺菌効果を上げることができるとともに、第２の放電ユニット４ａは動作させないため、放電による消費電力は第１の放電ユニット４のみとなり、消費電力の増加を抑えている。
【００４７】
なお、上記各実施形態では、放電集塵ユニットとして、放電ユニット（第１の放電ユニット）４と集塵ユニット５が別ユニットとして設けられたものについて示したが、放電電極の対向電極が集塵電極として機能するような放電集塵ユニットもあり、このようなものにも本願発明は適用可能である。
【００４８】
また、上記実施形態においては、一対の遮蔽板６２，６２を互いに中央に移動することにより、その前後両側に通風抵抗（圧力損失）の少ない第２の通風路６７，６７を形成するようにしたが、一方の遮蔽板のみを移動していずれか一側にのみ第２の通風路を形成するようにしても良い。さらには、例えば、通風路の前側半分に遮蔽板による高圧力損の第１の通風路を形成し、後側半分にストレートな低圧力損の第２の通風路を形成しておき、ダンパー等によりそれぞれの吸込口を開閉して、通風路を切り換えるようにしても良い。
【００４９】
【発明の効果】
以上のように本願発明によれば、遮蔽板で形成される通風路内の紫外線ランプを通る高圧力損の第1の通風路と、紫外線ランプを通らない低圧力損の第２の通風路と、前記第１の通風路と第２の通風路とを切り替える通風路切替手段を備えて、通風路を第１の通風路に切り換え、放電集塵ユニットと紫外線ランプユニットとファンを駆動して行うファン運転と、通風路を第２の通風路に切り換え、放電集塵ユニットを駆動して、その放電によって生じるイオン風を利用して行うイオン風運転とを切り換え可能としたので、ファンによる急速な集塵殺菌運転と、イオン風による静音省電力な集塵運転とを選択でき、各々の運転目的に対し、効率の良い空気清浄効果を得ることができる。
【００５０】
また、前記紫外線ランプを、通風路に対して横方向に移動可能な一対の遮蔽板で覆い、この一対の遮蔽板を互いに接する方向に移動することにより、前記第１の通風路が閉鎖されて、その両側にストレートな第２の通風路が形成されるようにしたので、上記効果に加えて、放電によるイオン風のみでも十分な通風量を確保できる効果がある。
【００５１】
また、前記通風路切換手段とファン及び紫外線ランプユニットを連動させ、ファン運転時には、放電集塵ユニットを駆動するとともに、通風路切換手段で第１の通風路を開放してファン及び紫外線ランプユニットを動作させ、イオン風運転時には、放電集塵ユニットを駆動する一方、通風路切換手段で第２の通風路を開放してファン及び紫外線ランプユニットは動作させずに放電集塵ユニットによるイオン風を利用して集塵するようにしたので、上記効果に加えて、スイッチノブなどでファン運転とイオン風運転のいずれかを選択操作するだけで、通風路切り換えを含むファン運転とイオン風運転の切り換えが行われ、夜間で空気の汚れが少ない時に行われるイオン風運転時には、ファンのみならず紫外線ランプも停止されるので、静音化とともに省電力化が効率よく実現される。
【００５２】
さらに、前記第２の通風路近傍に、放電集塵ユニットの放電によって生じるイオン風を加速させる放電ユニットを設け、当該放電ユニットはイオン風運転時のみ駆動するようにしたので、上記効果に加えて、ファン運転時の消費電力を増加することなく、イオン風運転時の通風量を効率的に増加させることができる。
【図面の簡単な説明】
【図１】本願発明の実施形態による空気清浄機の内部構成を示す正面図。
【図２】上記実施形態におけるファン運転時の側断面図。
【図３】上記実施形態におけるイオン風運転時の側断面図。
【図４】上記実施形態における集塵ユニットの要部拡大図。
【図５】上記実施形態における紫外線ランプユニットの分解斜視図。
【図６】上記図５の遮蔽板で紫外線ランプが覆われた状態を示す斜視図。
【図７】上記実施形態における紫外線ランプユニットのファン運転時とイオン風運転時の形状変化を示す斜視図。
【図８】上記実施形態におけるファン運転時の要部拡大断面図。
【図９】上記実施形態におけるイオン風運転時の要部拡大断面図。
【図１０】本願発明の他の実施形態による空気清浄機の内部構成を示す正面図。
【図１１】上記他の実施形態におけるファン運転時の側断面図。
【図１２】上記他の実施形態におけるイオン風運転時の側断面図。
【図１３】上記他の実施形態におけるファン運転時の要部拡大断面図。
【図１４】上記他の実施形態におけるイオン風運転時の要部拡大断面図。
【符号の説明】
１  本体ケース
２  リブ
４  放電ユニット（第１の放電ユニット）
４１  放電線（第１の放電線）
４２  対向電極（第１の対向電極）
４ａ  第２の放電ユニット
４１ａ  第２の放電線
４２ａ，４２ｂ  第２の対向電極
４４  高圧ユニット
５  集塵ユニット
５１  集塵電極
５２  集塵紙
６  紫外線ランプユニット
６１  紫外線ランプ
６２  遮蔽板
６６  第１の通風路
６７  第２の通風路
７  ファン
７１  ファンモータ
９  スイッチノブ
１０  制御ボックス
【図１】
0003670799.tif 000002
【図２】
0003670799.tif 000003
【図３】
0003670799.tif 000004
【図４】
0003670799.tif 000005
【図５】
0003670799.tif 000006
【図６】
0003670799.tif 000007
【図７】
0003670799.tif 000008
【図８】
0003670799.tif 000009
【図９】
0003670799.tif 000010
【図１０】
0003670799.tif 000011
【図１１】
0003670799.tif 000012
【図１２】
0003670799.tif 000013
【図１３】
0003670799.tif 000014
【図１４】
0003670799.tif 000015